(57)【要約】【課題】Ｆコードによる親展通信にて受信した画像データの扱いを、該親展通信の宛先に対応付けられた使用者に委ねることが可能な通信装置を提供する。【解決手段】ファクシミリ装置４との間でＦＡＸ通信を行ったＭＦＰ１は、受信データに含まれるサブアドレスに対応するユーザ識別情報に、受信した画像データ及び該画像データの属性情報を対応付けて記憶する。その後、ユーザ識別情報としてのＩＰアドレスが指定されたリスト送信要求をＰＣ２から受信した場合、ＭＦＰ１は、指定されているＩＰアドレスに対応付けられた画像データの属性情報からリスト情報を生成し、生成したリスト情報を要求元のＰＣ２に送信する。更に、画像データが指定された画像送信要求をＰＣ２から受信した場合、ＭＦＰ１は、送信元のＰＣ２に対して、送信を要求された画像データから変換したＰＤＦ形式又はＴＩＦＦ形式の画像データを送信する。【選択図】図１
2012156583.tif 000002
【特許請求の範囲】
【請求項１】
受信データにサブアドレスが含まれるＦコード通信を行って画像データを受信するＦＡＸ通信部と、
前記サブアドレスに対応するユーザ識別情報を記憶する第１記憶部と、
前記ＦＡＸ通信部がＦコード通信を行った場合、受信データに含まれるサブアドレスに対応するユーザ識別情報に、受信した画像データ及び該画像データの属性情報を対応付けて記憶する第２記憶部と、
外部装置と通信する情報通信部と、
該情報通信部が、ユーザ識別情報の指定を伴うリスト送信要求を外部装置から受信した場合、指定されているユーザ識別情報に対応付けられた画像データの属性情報を前記第２記憶部から読み出して、リスト情報を生成する生成部とを備え、
前記情報通信部は、前記生成部が生成したリスト情報を前記リスト送信要求の送信元である外部装置に送信するようにしてあること
を特徴とする通信装置。
【請求項２】
前記ユーザ識別情報は、前記外部装置の宛先情報を含み、
前記情報通信部は、前記受信データに含まれるサブアドレスに対応するユーザ識別情報に含まれる宛先情報を用いて、前記第２記憶部が新たに画像データ及び属性情報を記憶した旨を送信するようにしてあることを特徴とする請求項１に記載の通信装置。
【請求項３】
前記ＦＡＸ通信部が受信した画像データを第２の画像データに変換する変換部を備え、
前記第２記憶部は、前記変換部が変換した第２の画像データを記憶するようにしてあり、
前記情報通信部は、前記リスト情報を送信した後、画像データの指定を伴う画像送信要求を外部装置から受信した場合、送信を要求された画像データについて前記変換部が変換した第２の画像データを前記第２記憶部から読み出して、前記画像送信要求の送信元である外部装置に送信するようにしてあること
を特徴とする請求項１又は２に記載の通信装置。
【請求項４】
前記第２記憶部から画像データを読み出して第２の画像データに変換する変換部を備え、
前記情報通信部は、前記リスト情報を送信した後、画像データの指定を伴う画像送信要求を外部装置から受信した場合、送信を要求された画像データについて前記変換部が変換した第２の画像データを前記第２記憶部から読み出して、前記画像送信要求の送信元である外部装置に送信するようにしてあること
を特徴とする請求項１又は２に記載の通信装置。
【請求項５】
画像データに基づく画像を形成する画像形成部を備え、
前記情報通信部が、前記リスト情報を送信した後、画像データの指定を伴う画像印刷要求を受信した場合、前記画像形成部は、印刷を要求された画像データに基づく画像を形成するようにしてあること
を特徴とする請求項３又は４に記載の通信装置。
【請求項６】
前記第１記憶部が記憶するユーザ識別情報はパスワードを含み、
前記ＦＡＸ通信部がＦコード通信によって受信した受信データにパスワードが含まれる場合、前記受信データに含まれるパスワードと、前記第１記憶部に記憶されているパスワードであって前記受信データに含まれるサブアドレスに対応するユーザ識別情報に含まれるパスワードとを照合する第１照合部を備え、
該第１照合部にてパスワードの一致を確認した場合、一致したパスワードに続けて受信した画像データと、一致したパスワードを含む属性情報とを前記第２記憶部に記憶するようにしてあること
を特徴とする請求項１から５の何れか１項に記載の通信装置。
【請求項７】
前記情報通信部は、パスワードの送信要求を外部装置に送信して、外部装置からパスワードを受信するようにしてあり、
前記情報通信部が受信したパスワードと、前記第２記憶部が記憶する属性情報であって前記画像送信要求にて送信を要求されている画像データの属性情報に含まれるパスワードとを照合する第２照合部を備え、
前記情報通信部は、前記第２照合部にてパスワードの一致を確認した場合、送信を要求された画像データの表示用データを前記送信要求の送信元である外部装置に送信するようにしてあること
を特徴とする請求項６に記載の通信装置。
【請求項８】
前記情報通信部は、パスワードの送信要求を外部装置に送信して、外部装置からパスワードを受信するようにしてあり、
前記情報通信部が受信したパスワードと、前記第２記憶部が記憶する属性情報であって前記画像印刷要求にて印刷を要求されている画像データの属性情報に含まれるパスワードとを照合する第２照合部を備え、
前記画像形成部は、前記第２照合部にてパスワードの一致を確認した場合、印刷を要求された画像データに基づく画像を形成するようにしてあること
を特徴とする請求項６に記載の通信装置。
【発明の詳細な説明】
【技術分野】
【０００１】
本発明は、Ｆコード通信により画像データを受信し、外部装置から要求された画像データを要求元である外部装置に送信する通信装置に関する。
【背景技術】
【０００２】
従来、ＩＴＵ−ＴＳ（国際電気通信連合・電気通信標準化セクタ）で標準化されたＧ３規格に準拠するファクシミリ通信において、サブアドレス（ＳＵＢ）、選択ポーリング（ＳＥＰ）、パスワード（ＰＷＤ）等のＦコードを用いるＦコード通信が用いられている。例えば、Ｆコード通信によって親展通信を行う場合、受信側のファクシミリでは、サブアドレスによって指定されたボックスに画像データが格納される。
【０００３】
ファクシミリのボックスには、予め２０桁以下のサブアドレスが対応付けられ、必要に応じて２０桁以下のパスワードが設定される。ボックスに格納された画像データは、ボックスからの取り出しが指定されたときに画像が形成（印刷）されるほか、自動的に区分けされて使用者のパーソナルコンピュータ上のフォルダに転送されることもある（例えば、特許文献１参照）
【先行技術文献】
【特許文献】
【０００４】
【特許文献１】特開２００６−５４７５８号公報
【発明の概要】
【発明が解決しようとする課題】
【０００５】
しかしながら、上述したような親展通信では、転送されることなくボックスに格納されている画像データの取り出しが指定されてシートに画像が形成された場合、画像の内容が使用者に視認されれば、画像が形成されたシートの保存を要しないことが多く、紙資源の無駄が生じていた。
【０００６】
本発明は斯かる事情に鑑みてなされたものであり、その目的とするところは、Ｆコードによる親展通信にて受信した画像データの扱いを、該親展通信の宛先に対応付けられた使用者に委ねることが可能な通信装置を提供することにある。
【課題を解決するための手段】
【０００７】
本発明に係る通信装置は、受信データにサブアドレスが含まれるＦコード通信を行って画像データを受信するＦＡＸ通信部と、前記サブアドレスに対応するユーザ識別情報を記憶する第１記憶部と、前記ＦＡＸ通信部がＦコード通信を行った場合、受信データに含まれるサブアドレスに対応するユーザ識別情報に、受信した画像データ及び該画像データの属性情報を対応付けて記憶する第２記憶部と、外部装置と通信する情報通信部と、該情報通信部が、ユーザ識別情報の指定を伴うリスト送信要求を外部装置から受信した場合、指定されているユーザ識別情報に対応付けられた画像データの属性情報を前記第２記憶部から読み出して、リスト情報を生成する生成部とを備え、前記情報通信部は、前記生成部が生成したリスト情報を前記リスト送信要求の送信元である外部装置に送信するようにしてあることを特徴とする。
【０００８】
本発明にあっては、サブアドレスを用いるＦコード通信を行って画像データを受信した場合、受信データに含まれるサブアドレスに対応するユーザ識別情報に、受信した画像データ及び該画像データの属性情報を対応付けて記憶する。その後、ユーザ識別情報が指定されたリスト送信要求を外部装置から受信した場合、指定されているユーザ識別情報に対応付けられた画像データの属性情報を読み出してリスト情報を生成し、生成したリスト情報を送信元の外部装置に送信する。
これにより、リスト送信要求を送信した外部装置に対して、該外部装置のユーザ識別情報に対応付けられた画像データを指定するリスト情報が返信される。
【０００９】
本発明に係る通信装置は、前記ユーザ識別情報は、前記外部装置の宛先情報を含み、前記情報通信部は、前記受信データに含まれるサブアドレスに対応するユーザ識別情報に含まれる宛先情報を用いて、前記第２記憶部が新たに画像データ及び属性情報を記憶した旨を送信するようにしてあることを特徴とする。
【００１０】
本発明にあっては、受信した画像データ及び該画像データの属性情報をユーザ識別情報に対応付けて新たに記憶した旨を、受信データに含まれるサブアドレスに対応するユーザ識別情報に含まれる宛先情報を用いて外部装置に送信する。
つまり、外部装置のユーザ識別情報が対応するサブアドレスが受信データに含まれるＦコード通信が行われて、受信された画像データ及び属性情報が通信装置に記憶されたことが、外部装置に対して通知される。
従って、外部装置では、Ｆコード通信によって画像データが受信及び記憶された旨を、例えばポップアップ等にてユーザに報知することができる。
【００１１】
本発明に係る通信装置は、前記ＦＡＸ通信部が受信した画像データを第２の画像データに変換する変換部を備え、前記第２記憶部は、前記変換部が変換した第２の画像データを記憶するようにしてあり、前記情報通信部は、前記リスト情報を送信した後、画像データの指定を伴う画像送信要求を外部装置から受信した場合、送信を要求された画像データについて前記変換部が変換した第２の画像データを前記第２記憶部から読み出して、前記画像送信要求の送信元である外部装置に送信するようにしてあることを特徴とする。
【００１２】
本発明にあっては、画像データの受信時に、受信した画像データを変換した第２の画像データを記憶する。外部装置へのリスト情報の送信後に、画像データが指定された画像送信要求を受信した場合、該画像送信要求の送信元の外部装置に対して、指定された画像データから変換されて記憶されている第２の画像データを送信する。
これにより、外部装置では、通信装置から受信したリスト情報から指定した画像データについて、例えば、該画像データが表す画像を表示したり、画像データをダウンロードしたりすることができる。
【００１３】
本発明に係る通信装置は、前記第２記憶部から画像データを読み出して第２の画像データに変換する変換部を備え、前記情報通信部は、前記リスト情報を送信した後、画像データの指定を伴う画像送信要求を外部装置から受信した場合、送信を要求された画像データについて前記変換部が変換した第２の画像データを前記第２記憶部から読み出して、前記画像送信要求の送信元である外部装置に送信するようにしてあることを特徴とする。
【００１４】
本発明にあっては、外部装置へのリスト情報の送信後に、画像データが指定された画像印刷要求を受信した場合、該画像印刷要求の送信元の外部装置に対して、指定された画像データを第２の画像データに変換して送信する。
これにより、外部装置では、通信装置から受信したリスト情報から指定した画像データについて、例えば、該画像データが表す画像を表示したり、表示のためにダウンロードしたりすることができる。
【００１５】
本発明に係る通信装置は、画像データに基づく画像を形成する画像形成部を備え、前記情報通信部が、前記リスト情報を送信した後、画像データの指定を伴う画像印刷要求を受信した場合、前記画像形成部は、印刷を要求された画像データに基づく画像を形成するようにしてあることを特徴とする。
【００１６】
本発明にあっては、外部装置へのリスト情報の送信後に、画像データが指定された画像印刷要求を受信した場合、指定された画像データに基づく画像を形成する。
これにより、ユーザは、外部装置にて画像データが表す画像の内容を確認した後に、印刷が必要な画像を通信装置に形成させることができる。
【００１７】
本発明に係る通信装置は、前記第１記憶部が記憶するユーザ識別情報はパスワードを含み、前記ＦＡＸ通信部がＦコード通信によって受信した受信データにパスワードが含まれる場合、前記受信データに含まれるパスワードと、前記第１記憶部に記憶されているパスワードであって前記受信データに含まれるサブアドレスに対応するユーザ識別情報に含まれるパスワードとを照合する第１照合部を備え、該第１照合部にてパスワードの一致を確認した場合、一致したパスワードに続けて受信した画像データと、一致したパスワードを含む属性情報とを前記第２記憶部に記憶するようにしてあることを特徴とする。
【００１８】
本発明にあっては、Ｆコード通信での受信データにパスワードが含まれる場合、受信データに含まれるパスワードと、受信データに含まれるサブアドレスに対応して記憶されているユーザ識別情報に含まれるパスワードとを照合して一致したパスワードを、そのＦコード通信にて受信した画像データの属性情報に含めて、受信した画像データと共に記憶する。
これにより、Ｆコード通信の送信元が設定したパスワードを、後の照合に備えて記憶することができる。
【００１９】
本発明に係る通信装置は、前記情報通信部は、パスワードの送信要求を外部装置に送信して、外部装置からパスワードを受信するようにしてあり、前記情報通信部が受信したパスワードと、前記第２記憶部が記憶する属性情報であって前記画像送信要求にて送信を要求されている画像データの属性情報に含まれるパスワードとを照合する第２照合部を備え、前記情報通信部は、前記第２照合部にてパスワードの一致を確認した場合、送信を要求された画像データの表示用データを前記送信要求の送信元である外部装置に送信するようにしてあることを特徴とする。
【００２０】
本発明にあっては、パスワードの送信要求に対する応答として外部装置から受信したパスワードと、画像送信要求にて送信を要求されている画像データの属性情報に含まれるパスワードとを照合し、パスワードが一致した場合にのみ、前記画像送信要求の送信元の外部装置に対して、送信を要求された画像データの表示用データを送信する。
これにより、Ｆコード通信の送信元が設定したパスワードが通知されたユーザに対してのみ、Ｆコード通信にて受信した画像データから変換された第２の画像データが送信される。
【００２１】
本発明に係る通信装置は、前記情報通信部は、パスワードの送信要求を外部装置に送信して、外部装置からパスワードを受信するようにしてあり、前記情報通信部が受信したパスワードと、前記第２記憶部が記憶する属性情報であって前記画像印刷要求にて印刷を要求されている画像データの属性情報に含まれるパスワードとを照合する第２照合部を備え、前記画像形成部は、前記第２照合部にてパスワードの一致を確認した場合、印刷を要求された画像データに基づく画像を形成するようにしてあることを特徴とする。
【００２２】
本発明にあっては、パスワードの送信要求に対する応答として外部装置から受信したパスワードと、画像印刷要求にて印刷を要求されている画像データの属性情報に含まれるパスワードとを照合し、パスワードが一致した場合にのみ、印刷を要求されている画像データに基づく画像を形成する。
これにより、Ｆコード通信の送信元が設定したパスワードが通知されたユーザからの印刷要求に対してのみ、Ｆコード通信にて受信したＦＡＸ受信原稿が印刷される。
【発明の効果】
【００２３】
本発明によれば、ユーザ識別情報が指定されたリスト送信要求を受信した場合、指定されているユーザ識別情報に対応付けられた画像データの属性情報からリスト情報を生成し、生成したリスト情報をリスト送信要求の送信元の外部装置に送信する。
これにより、リスト送信要求を送信した外部装置に対して、該外部装置のユーザ識別情報に対応付けられた画像データを指定するリスト情報が返信される。このため、外部装置では、返信されたリスト情報に基づくリスト表示を行った後に、例えば画像データを指定する操作と、指定された画像データに対する処理操作とを受け付けることができる。
従って、Ｆコードによる親展通信にて受信した画像データの扱いを、該親展通信の宛先に対応付けられた使用者に委ねることが可能となる。
【図面の簡単な説明】
【００２４】
【図１】本発明の実施の形態１に係る通信システムのネットワーク構成例を示す模式図である。
【図２】ＭＦＰの要部構成を示すブロック図である。
【図３】ＰＣの要部構成を示すブロック図である。
【図４】ユーザに係る情報をＭＦＰに設定するための入力画面の一例を示す説明図である。
【図５】第１記憶部に記憶されているユーザ識別情報の内容の一例を示す説明図である。
【図６Ａ】受信した画像データを記憶してその旨をＰＣに通知するＭＦＰのＣＰＵの処理手順を示すフローチャートである。
【図６Ｂ】受信した画像データを記憶してその旨をＰＣに通知するＭＦＰのＣＰＵの処理手順を示すフローチャートである。
【図７】第２記憶部に記憶されている画像データ、属性情報等の内容の一例を示す説明図である。
【図８Ａ】ＭＦＰ及びＰＣ間でＨＴＴＰのデータを授受する際のＣＰＵの処理手順を示すフローチャートである。
【図８Ｂ】ＭＦＰ及びＰＣ間でＨＴＴＰのデータを授受する際のＣＰＵの処理手順を示すフローチャートである。
【図９】ＰＣにおける受信原稿のリスト画面の一例を示す説明図である。
【図１０】ＢＯＸに記憶された画像データに基づいて受信原稿を印刷するＭＦＰのＣＰＵの処理手順を示すフローチャートである。
【図１１】受信した画像データをＰＣに転送する実施の形態２に係るＭＦＰのＣＰＵの処理手順を示すフローチャートである。
【発明を実施するための形態】
【００２５】
以下、本発明に係る通信装置を、ＭＦＰ（デジタル複合機）に適用した実施の形態について詳述する。
（実施の形態１）
図１は、本発明の実施の形態１に係る通信システムのネットワーク構成例を示す模式図である。図中１はＭＦＰであり、ＭＦＰ１は、ＬＡＮ３を介してＰＣ（パーソナルコンピュータ）２，・・２と通信可能に接続されると共に、ＰＳＴＮ（Public Switched Telephone Network；公衆電話回線網）５を介してファクシミリ装置４，・・４と通信可能に接続されている。ＭＦＰ１とファクシミリ装置４，・・４とは、例えば、イントラネット又インターネットを介して接続されていてもよい。また、ＬＡＮ３は、標準的な有線のＬＡＮ回線のみならず、無線によるＬＡＮ回線であってもよく、ＬＡＮ３以外の通信回線であってもよい。
【００２６】
図２は、ＭＦＰ１の要部構成を示すブロック図である。ＭＦＰ１はＣＰＵ１０を備え、ＣＰＵ１０は、プログラムローダ等の情報を記憶するＲＯＭ１１、一時的に発生した情報を記憶するＲＡＭ１２、及び該ＲＡＭ１２にロードされるプログラム等の情報を記憶するハードディスクからなる内部記憶装置１３とバス接続されている。ＣＰＵ１０には、更に、タッチパネル付きのＬＣＤからなる表示部１４１、及び主としてタッチパネルにより使用者の操作を受け付ける操作部１４２を有する操作パネル１４と、原稿を読み取って画像データを生成する原稿読取部１５と、生成された画像データを一時的に記憶する画像メモリ１６と、画像データに基づく画像を形成する画像形成部１７とがバス接続されている。ＣＰＵ１０は、上記プログラムローダによってＲＡＭ１２にロードされた制御プログラムに従って、通信装置としての動作に必要な処理を実行する。
【００２７】
ＭＦＰ１は、また、ＬＡＮ３を介してＰＣ２，・・２と通信するためのＬＡＮ・Ｉ／Ｆ（情報通信部）１８と、ＰＳＴＮ５を介してファクシミリ装置４，・・４とファクシミリ通信を行うためのＦＡＸ通信Ｉ／Ｆ（ＦＡＸ通信部）１９とを備え、これらはＣＰＵ１０とバス接続されている。ファクシミリ通信では、標準的なファクシミリ通信のほか、サブアドレスが含まれたＦコードが用いられるＦコード通信（以下、単にＦＡＸ通信という）を行って、ファクシミリ符号化データからなる画像データを受信するようになっている。
【００２８】
内部記憶装置１３には、プログラム等の情報が記憶されるほか、サブアドレスに対応するユーザを識別するためのユーザ識別情報（以下、サブアドレスに対応するユーザ識別情報という）を記憶する第１記憶部１３１と、ＦＡＸ通信によって受信した画像データ及び該画像データの送信元、受信日時等の属性情報を前記ユーザ識別情報に対応付けて記憶する第２記憶部１３２とが、記憶領域に含まれている。
尚、第１記憶部１３１及び第２記憶部１３２は、内部記憶装置１３の１つの記憶領域によって兼用されていてもよい。また、第２記憶部１３２には、ファクシミリ符号が復号されたイメージデータからなる画像データを記憶するようにしてもよい。復号は、ソフトウェアで行ってもよいし、図示しないコーデックで行ってもよい。
【００２９】
ＣＰＵ１０の各機能ブロックは、ソフトウエアによって実現されるものである。生成部１０１は、第２記憶部１３２が記憶している画像データを指定するリスト情報を生成する機能を奏する。変換部１０２は、ファクシミリ符号化データ又はイメージデータからなる画像データを、ＰＤＦ形式又はＴＩＦＦ形式の画像データ（第２の画像データ）に変換する機能を奏する。第１照合部１０３は、受信データに含まれるパスワードと、受信データに含まれるサブアドレスに対応して第１記憶部に記憶されているユーザ識別情報に含まれるパスワードとを照合する機能を奏する。第２照合部１０４は、ＬＡＮ・Ｉ／Ｆ１８を介して受信したパスワードと、後述する画像送信要求にて送信を要求されている画像データについて第２記憶部１３２が記憶している属性情報に含まれるパスワードとを照合する機能を奏する。
【００３０】
図３は、ＰＣ２の要部構成を示すブロック図である。ＰＣ２はＣＰＵ２０を備え、ＣＰＵ２０は、プログラムローダ等の情報を記憶するＲＯＭ２１、一時的に発生した情報を記憶するＲＡＭ２２、及び該ＲＡＭ２２にロードされるプログラム等の情報を記憶するハードディスクからなる内部記憶装置２３とバス接続されている。ＰＣ２は、また、ＬＡＮ３を介してＭＦＰ１と通信するためのＬＡＮ・Ｉ／Ｆ２５と、ＬＣＤからなる表示部２６１に接続するための表示Ｉ／Ｆ２６と、キーボード２７１及びマウス２７２と接続するための入力Ｉ／Ｆ２７とを備え、これらはＣＰＵ２０とバス接続されている。ＣＰＵ２０は、上記プログラムローダによってＲＡＭ２２にロードされた制御プログラムに従って、ＭＦＰ１と通信する機器としての動作に必要な処理を実行する。
【００３１】
さて、上述した構成において、ＭＦＰ１がファクシミリ装置４とＦコード通信を行って、受信した画像データ、及び該画像データの属性情報を第２記憶部１３２に記憶する場合、そのときまでに各ユーザのユーザ識別情報が第１記憶部１３１に記憶されている必要がある。
【００３２】
図４は、ユーザに係る情報をＭＦＰ１に設定するための入力画面の一例を示す説明図である。図４の画面から、ＰＣ２，・・２の各ユーザの名前、会社名、所属部署、電話番号、ファックス番号、メールアドレス、対応するサブアドレス及びパスワード等の情報が入力される。ＭＦＰ１の使用者（例えばシステムの管理者）が、操作部１４２から文字、数字等を追加・変更する操作を行って「設定」ボタンを押下することにより、表示されている「名前」によって識別されるユーザに係る各情報のうち、ユーザ識別情報に含まれる情報が第１記憶部１３１に記憶される。
【００３３】
ところで、ＭＦＰ１は、Ｆコード通信によって受信した画像データを、受信データに含まれるサブアドレスに対応するＦコードボックス（以下、ＢＯＸともいう）に記憶する機能を備えている。サブアドレスとＢＯＸとは、予め対応付けが登録されている必要があるが、このような登録の操作は、標準的なＭＦＰにて広く行われているものであるため、その説明を省略する。
【００３４】
図５は、第１記憶部１３１に記憶されているユーザ識別情報の内容の一例を示す説明図である。図５では、ユーザＡ，Ｂ，Ｃ，・・Ｉの夫々について、ユーザ名（名前）、対応するサブアドレス及びパスワード、ユーザのメールアドレス、並びにユーザのＰＣ２のＩＰアドレスの内容が例示されている。例えばユーザＢについては、図４に示した内容が反映されている。パスワードは、Ｆコード通信において必要な場合にのみ設定されるものである。ＩＰアドレスは、図４に示した入力画面とは異なる画面から別途設定されたものである。これらの項目の一部をユーザ識別子として第１記憶部１３１に記憶するようにしてもよい。ユーザ識別情報の具体的な内容は一例であるため、詳細な説明を省略する。
【００３５】
以下では、上述したＭＦＰ１の動作を、それを示すフローチャートを用いて説明する。
図６Ａ及び図６Ｂは、受信した画像データを記憶してその旨をＰＣ２に通知するＭＦＰ１のＣＰＵ１０の処理手順を示すフローチャートである。図６Ａの処理は、ＭＦＰ１にてＦコード通信を含むファクシミリ通信（以下、ＦＡＸ通信という）が可能となったときに起動されて、図６Ｂの処理に引き継がれる。図６Ａの処理が起動される際には、ＲＡＭ１２の記憶内容のうち、後述するパスワードが記憶されるべき所定領域の内容が初期化（例えばゼロクリア）される。
【００３６】
図６Ａの処理が起動された場合、ＣＰＵ１０は、ＦＡＸ着信が有ったか否かを判定して（Ｓ１１）、ＦＡＸ着信が有るまで待機しており（Ｓ１１：ＮＯ）、ＦＡＸ着信が有った場合（Ｓ１１：ＹＥＳ）、ＦＡＸ通信の通信手順を行う（Ｓ１２）。その後、ＣＰＵ１０は、通信手順における受信データにサブアドレスが含まれるか否かを判定し（Ｓ１３）、含まれない場合（Ｓ１３：ＮＯ）、標準的なＦＡＸ受信を行って（Ｓ１４）、受信した画像データが表す画像を受信原稿として印刷し（Ｓ１５）、図６Ａの処理を終了する。
【００３７】
受信データにサブアドレスが含まれる場合（Ｓ１３：ＹＥＳ）、ＣＰＵ１０は、受信データに含まれるサブアドレスを一時的にＲＡＭ１２に記憶する（Ｓ１６）。次いで、ＣＰＵ１０は、通信手順における受信データにパスワードが含まれるか否かを判定し（Ｓ１７）、パスワードが含まれる場合（Ｓ１７：ＹＥＳ）、含まれているパスワードの情報を一時的にＲＡＭ１２に記憶した（Ｓ１８）後、パスワードの照合を含めた処理を行うために、図６ＢのステップＳ３０に処理を進める。
【００３８】
受信データにパスワードが含まれない場合（Ｓ１７：ＮＯ）、ＣＰＵ１０は、ＲＡＭ１２に記憶したサブアドレスと同一のサブアドレスが含まれるユーザ識別情報が有るか否かを判定する（Ｓ２０）。判定対象のユーザ識別情報は、第１記憶部１３１からその都度読み出してもよいし、判定前に第１記憶部１３１から読み出してＲＡＭ１２に記憶するようにしてもよい。
具体的には、例えば受信データに含まれるサブアドレスが「1111111111」である場合、図５より、「ユーザＡ」を識別するユーザ識別情報に同一のサブアドレスが含まれることが判定される。
【００３９】
同一のサブアドレスが含まれるユーザ識別情報が有る場合（Ｓ２０：ＹＥＳ）、ＣＰＵ１０は、ＦＡＸ受信を行って（Ｓ２１）、受信した画像データをＰＤＦ形式又はＴＩＦＦ形式の画像データに変換する（Ｓ２２）。そして、ＣＰＵ１０は、変換した画像データと、該画像データの送信元、受信日時等の属性情報とを、同一のサブアドレスが含まれるユーザ識別情報に対応付けて第２記憶部１３２に記憶する（Ｓ２３）。変換前の画像データは、変換後の画像データと共に第２記憶部１３２に記憶するが、ユーザ識別情報に対応付けて内部記憶装置１３の他の記憶領域に記憶するようにしてもよい。
【００４０】
尚、第２記憶部１３２に記憶される属性情報には、パスワードが記憶されるべきＲＡＭ１２の所定領域の内容を含めてあるため、ＣＰＵ１０の処理が、ステップＳ１８及び後述するステップＳ３１，Ｓ３３，Ｓ３４を経由してステップＳ２１に移った場合、ステップＳ１８でＲＡＭ１２に記憶されたパスワードが第２記憶部１３２に記憶される。
【００４１】
次に、ＣＰＵ１０は、同一のサブアドレスが含まれるユーザ識別情報からユーザのＰＣ２のＩＰアドレス（宛先情報）を読み出して、該ＩＰアドレスを有するＰＣ２に画像データを記憶した旨を通知した（Ｓ２４）後に、図６Ａの処理を終了する。ＭＦＰ１及びＰＣ２間でメール通信が可能な場合は、ＰＣ２のＩＰアドレスに代えてユーザのメールアドレスをユーザ識別情報から読み出して、画像データを記憶した旨をメールにて通知するようにしてもよい。
【００４２】
ステップＳ２０で、同一のサブアドレスが含まれるユーザ識別情報がない場合（Ｓ２０：ＮＯ）、ＣＰＵ１０は、同一のサブアドレスに対応付けられたＢＯＸが有るか否かを判定する（Ｓ２５）。ＢＯＸが有る場合（Ｓ２５：ＹＥＳ）、ＣＰＵ１０は、ＦＡＸ受信を行って（Ｓ２６）、受信した画像データをＢＯＸに記憶し（Ｓ２７）、図６Ａの処理を終了する。ＢＯＸがない場合（Ｓ２５：ＮＯ）、ＣＰＵ１０は、ＦＡＸ受信を中断し（Ｓ２８）、図６Ａの処理を終了する。
【００４３】
次に、図６Ｂの処理について説明する。ＣＰＵ１０の処理がステップ
Ｓ１８からステップＳ３０に移った場合、ＣＰＵ１０は、ＲＡＭ１２に記憶したサブアドレスと同一のサブアドレスが含まれる（即ち、同一のサブアドレスに対応する）ユーザ識別情報が有るか否かを判定する（Ｓ３０）。ユーザ識別情報が有る場合（Ｓ３０：ＹＥＳ）、ＣＰＵ１０は、ＲＡＭ１２にパスワードが記憶済み（例えば、ゼロでない値が記憶されている場合）か否かを判定し（Ｓ３１）、記憶済みでない場合（Ｓ３１：ＮＯ）は、通信手順における受信データにパスワードが含まれない場合と同一の扱いにするために、図６ＡのステップＳ２１に処理を移す。
【００４４】
ＲＡＭ１２にパスワードが記憶済みの場合（Ｓ３１：ＹＥＳ）、ＣＰＵ１０は、同一のサブアドレスに対応するユーザ識別情報にパスワードが設定されているか否かを判定し（Ｓ３２）、設定されていない場合（Ｓ３２：ＮＯ）、ステップＳ１８でＲＡＭ１２に記憶したパスワードを削除した（Ｓ３３）後、通信手順における受信データにパスワードが含まれない場合と同一の扱いにするために、図６ＡのステップＳ２１に処理を移す。
【００４５】
同一のサブアドレスに対応するユーザ識別情報にパスワードが設定されている場合（Ｓ３２：ＹＥＳ）、ＣＰＵ１０は、ＲＡＭ１２に記憶したパスワードと、ユーザ識別情報に含まれるパスワードとが一致するか否かを判定し（Ｓ３４）、一致する場合（Ｓ３４：ＹＥＳ）、ＲＡＭ１２にパスワードを記憶したまま、図６ＡのステップＳ２１に処理を移す。これにより、図６ＡのステップＳ２３では、パスワードが含まれた属性情報が第２記憶部１３２に記憶される。パスワードが一致しない場合（Ｓ３４：ＮＯ）、ＣＰＵ１０は、ＦＡＸ受信を中断して（Ｓ３５）、図６Ｂの処理を終了する。
【００４６】
ステップＳ３０で同一のサブアドレスに対応するユーザ識別情報がない場合（Ｓ３０：ＮＯ）、ＣＰＵ１０は、同一のサブアドレスに対応付けられたＢＯＸが有るか否かを判定し（Ｓ３６）、ＢＯＸがない場合（Ｓ３６：ＮＯ）、ＦＡＸ受信を中断するために、ステップＳ３５に処理を移す。ＢＯＸが有る場合（Ｓ３６：ＹＥＳ）、ＣＰＵ１０は、ＲＡＭ１２にパスワードが記憶済みか否かを判定し（Ｓ３７）、記憶済みでない場合（Ｓ３７：ＮＯ）、通信手順における受信データにパスワードが含まれない場合と同一の扱いにするために、ステップＳ２６に処理を移す。
【００４７】
ＲＡＭ１２にパスワードが記憶済みの場合（Ｓ３７：ＹＥＳ）、ＣＰＵ１０は、同一のサブアドレスに対応付けられたＢＯＸにパスワードの設定が有るか否かを判定し（Ｓ３８）、パスワードの設定がない場合（Ｓ３８：ＮＯ）、通信手順における受信データにパスワードが含まれない場合と同一の扱いにするために、ステップＳ２６に処理を移す。
【００４８】
ＢＯＸにパスワードの設定がある場合（Ｓ３８：ＹＥＳ）、ＣＰＵ１０は、ＲＡＭ１２に記憶したパスワードと、ＢＯＸに設定されたパスワードとが一致するか否かを判定し（Ｓ３９）、一致する場合（Ｓ３９：ＹＥＳ）、通信手順における受信データにパスワードが含まれない場合と同一の扱いにするために、ステップＳ２６に処理を移し、一致しない場合（Ｓ３９：ＮＯ）、ＦＡＸ受信を中断するために、ステップＳ３５に処理を移す。
【００４９】
以上のように図６Ａ及び図６Ｂの処理では、通信手順における受信データに含まれたサブアドレスと同一のサブアドレスに対応するユーザ識別情報がある場合、又は同一のサブアドレスに対応付けられたＢＯＸがある場合、パスワードが不一致の場合を除いて、受信された画像データが、第２記憶部１３２又はＢＯＸに夫々記憶されることとなる。
【００５０】
図７は、第２記憶部１３２に記憶されている画像データ、属性情報等の内容の一例を示す説明図である。図７では、ＦＡＸ通信の時系列順に、受信した画像データの記憶先と、該画像データの送信元、受信日時等の属性情報の内容とが例示されている。属性情報に含まれるパスワードは、通信手順における受信データに含まれていたパスワードであり、上述したステップＳ２３の処理で書き込まれたものである。画像データは、各属性情報に付随するポインタが示す記憶先に記憶されている。画像データを記憶する記憶先は、ＬＡＮ３に接続された記憶装置（いわゆるネットワークストレージ）であってもよい。
【００５１】
第２記憶部１３２に記憶されている各画像データ及び属性情報は、ステップＳ２３の処理によって第１記憶部１３１に記憶されている何れかのユーザ識別情報に対応付けられている。ここでは、ユーザ名をキー情報にして対応付けが行われるようにする。即ち、図７では、各画像データ及び属性情報が対応するユーザ識別情報に、ユーザ名が付加されている。但し、対応付けに用いるキー情報は、ユーザ名に限定されない。
このようなキー情報を手掛かりにすることにより、第２記憶部１３２に記憶された画像データ及び属性情報が対応するユーザ識別情報を容易に抽出することができる。
【００５２】
さて、ＭＦＰ１が受信した画像データ、及び該画像データの属性情報が第２記憶部１３２に記憶された場合、上述したステップＳ２４の処理により、受信データに含まれるサブアドレスに対応するユーザのＰＣ２に対して、画像データが記憶された旨が通知される。ＰＣ２では、この通知を受けるための常駐プログラムが予め起動されており、該常駐プログラムによって、例えば、ＰＣ２のユーザ宛のＦＡＸ受信が完了した旨がポップアップ表示される。
【００５３】
上記ポップアップ表示によってＦＡＸ受信の完了を認識したＰＣ２のユーザは、ブラウザを起動してＭＦＰ１にアクセスすることにより、ＭＦＰ１に対して、自身宛のＦＡＸ通信のリスト表示、指定した受信原稿の表示及び印刷等の処理を要求することができる。
【００５４】
例えば、ＭＦＰ１が、ユーザ識別情報が指定されたリスト送信要求をＰＣ２から受信した場合、ＭＦＰ１は、指定されているユーザ識別情報に対応付けられた画像データを指定するリスト情報を生成して送信元のＰＣ２に送信する。ここでのユーザ識別情報が複数の情報からなる場合、ＭＦＰ１が指定されるユーザ識別情報は、ユーザを識別可能な少なくとも１つの情報である。リスト情報を受信したＰＣ２では、リスト情報に基づいて生成されたリスト画面が、ブラウザによって表示部２６１に表示される。これにより、ＰＣ２のユーザは、表示部２６１に表示させる画像（即ち受信原稿）を表す画像データ、及びＭＦＰ１に印刷させる画像データを、ブラウザから選択して指定することができる。
【００５５】
以下では、上述したＭＦＰ１及びＰＣ２の動作を、それを示すフローチャートを用いて説明する。
図８Ａ及び図８Ｂは、ＭＦＰ１及びＰＣ２間でＨＴＴＰのデータを授受する際のＣＰＵ１０及び２０の処理手順を示すフローチャートである。ＭＦＰ１では、初期化の後、図８Ａ及び図８Ｂに示す処理が常時起動されている。ＰＣ２では、ユーザがキーボード２７１及び／又はマウス２７２を用いてブラウザを起動させてＭＦＰ１にアクセスすることにより、図８Ａの処理が開始されて図８Ｂの処理に引き継がれる。ＰＣ２における図８Ａ及び図８Ｂの処理は、ブラウザとしての処理の一部を、正常ケースについて模式的に示すものである。また、リストからの選択、文字入力等のＰＣ２に閉じる処理は、図示を省略してある。
【００５６】
図８Ａの処理が開始された場合、ＰＣ２のＣＰＵ２０は、表示部２６１に表示している画面において、マウス２７２によるクリック等のボタン操作があったか否かを判定し（Ｓ１０１）、ボタン操作が有るまで待機している（Ｓ１０１：ＮＯ）。ボタン操作が有った場合（Ｓ１０１：ＹＥＳ）、ＣＰＵ２０は、操作されたボタンがリスト表示に係るボタンであるか否かを判定し（Ｓ１０２）、リスト表示に係るボタンである場合（Ｓ１０２：ＹＥＳ）、ＨＴＴＰのリクエストデータとして、リスト送信要求をＭＦＰ１に送信する（Ｓ１０３）。
【００５７】
一方、ＭＦＰ１のＣＰＵ１０は、ＨＴＴＰのリクエストを受信したか否かを判定して（Ｓ４０）、受信するまで待機しており（Ｓ４０：ＮＯ）、リクエストを受信した場合（Ｓ４０：ＹＥＳ）、受信したリクエストデータにリスト送信要求が含まれるか否かを判定する（Ｓ４１）。リスト送信要求が含まれる場合（Ｓ４１：ＹＥＳ）、ＣＰＵ１０は、リクエストを送信したＰＣ２のＩＰアドレスと一致するＩＰアドレスが含まれるユーザ識別情報を第１記憶部１３１から抽出し、抽出したユーザ識別情報に対応付けられた画像データの属性情報を第２記憶部１３２から読み出してリスト情報を生成する（ステップＳ４２）。そして、ＣＰＵ１０は、ＨＴＴＰのレスポンスデータとして、生成したリスト情報をＰＣ２に送信し（Ｓ４３）、ステップＳ４０に処理を戻す。
【００５８】
具体的には、例えば、リクエストを送信したＰＣ２のＩＰアドレスが「192.168.100.101」である場合、このＩＰアドレスが含まれるユーザ識別情報に含まれるユーザ名は、図５より「ユーザＡ」である。この場合、「ユーザＡ」をキー情報とする画像データは、図７より画像データ２，４，６であるため、ＣＰＵ１０は、画像データ２，４，６の属性情報を第２記憶部１３２から読み出して、これらの画像データを指定するリスト情報を生成する。
【００５９】
他方、ＰＣ２のＣＰＵ２０は、ＨＴＴＰのレスポンスを受信して（Ｓ１０４）、ＨＴＴＰのレスポンスデータに含まれるリスト情報を抽出し、抽出したリスト情報に基づいて、表示部２６１にリスト画面を表示した（Ｓ１０５）後に、ステップＳ１０１に処理を戻す。ここで、リスト画面について説明する。
【００６０】
図９は、ＰＣ２における受信原稿のリスト画面の一例を示す説明図である。図９に示す画面は、ブラウザのウィンドウに表示されるものであり、８つのタブによってメニューが選択できるようになっている。このうち、図９では、「受信」タブがクリックされた場合の画面例が示されている。この画面では、上述したように、画像データ２，４，６について、図７に示される属性情報の内容が表示されており、画面の左端部には、各画像データを選択するためのチェックボックスが表示されている。尚、本実施の形態１では、「受信回線」は常に「ＦＡＸ」であり、「文書分類」は常に「Ｆコード」である。
【００６１】
図８Ａに戻って、ＰＣ２側のステップＳ１０２で、操作されたボタンがリスト表示に係るボタンではない場合（Ｓ１０２：ＮＯ）、ＣＰＵ２０は、操作されたボタンが原稿表示に係るボタンであるか否かを判定し（Ｓ１０６）、原稿表示に係るボタンではない場合（Ｓ１０６：ＮＯ）、操作されたボタンに係る判定を更に行うために、図８ＢのステップＳ１２１に処理を移す。原稿表示に係るボタンである場合（Ｓ１０６：ＹＥＳ）、ＣＰＵ２０は、図９に示すチェックボックスにチェックされた画像データを指定して、ＨＴＴＰのリクエストデータとして画像送信要求をＭＦＰ１に送信する（Ｓ１０７）。
【００６２】
一方、ＭＦＰ１側のステップＳ４１でリクエストデータにリスト情報の取得要求が含まれない場合（Ｓ４１：ＮＯ）、ＣＰＵ１０は、リクエストデータに画像送信要求が含まれるか否かを判定し（Ｓ４４）、含まれない場合（Ｓ４４：ＮＯ）、更にリクエストデータの内容を判定するために、図８ＢのステップＳ５１に処理を移す。画像送信要求が含まれる場合（Ｓ４４：ＹＥＳ）、ＣＰＵ１０は、送信を要求された画像データについて、第２記憶部１３２に記憶された属性情報にパスワードが有るか否かを判定する（Ｓ４５）。パスワードがない場合（Ｓ４５：ＮＯ）、ＣＰＵ１０は、送信を要求された画像データを第２記憶部１３２から読み出して、ＨＴＴＰのレスポンスデータとしてＰＣ２に送信し（Ｓ５０）、ステップＳ４０に処理を戻す。
【００６３】
他方、ＰＣ２のＣＰＵ２０は、ＨＴＴＰのレスポンスを受信して（Ｓ１０８）、ＨＴＴＰのレスポンスデータにパスワード要求が含まれるか否かを判定する（Ｓ１０９）。パスワード要求が含まれない場合（Ｓ１０９：ＮＯ）（ここは正常ケースなので、ＭＦＰ１から送信された画像データを受信した場合）、ＣＰＵ２０は、受信した画像データに基づいて、表示部２６１に受信原稿を表示して（Ｓ１１０）、ステップＳ１０１に処理を戻す。
尚、ステップＳ１０６では、ダウンロードに係るボタンであるか否かを判定してもよい。その場合、ステップＳ１１０では、受信した画像データを内部記憶装置２３の所定のフォルダに記憶すればよい。
【００６４】
一方、ＭＦＰ１側のステップＳ４５で、属性情報にパスワードがある場合（Ｓ４５：ＹＥＳ）、ＣＰＵ１０は、ＨＴＴＰのレスポンスデータとして、パスワード要求をＰＣ２に送信する（Ｓ４６）。
【００６５】
他方、ＰＣ２側のステップＳ１０９で、ＨＴＴＰのレスポンスデータにパスワード要求が含まれる場合（Ｓ１０９：ＹＥＳ）、ＣＰＵ２０は、表示部２６１にパスワード入力画面を表示して（Ｓ１１１）パスワードを受け付け（Ｓ１１２）、受け付けたパスワードをＨＴＴＰのリクエストデータとしてＭＦＰ１に送信した（Ｓ１１３）後、ＭＦＰ１からの画像データを待ち受けるために、ステップＳ１０８に処理を戻す。
【００６６】
一方、ＭＦＰ１のＣＰＵ１０は、ＨＴＴＰのリクエストデータとしてパスワードを受信し（Ｓ４７）、受信したパスワードと、ステップＳ４５で属性情報に有ると判定したパスワードとが一致するか否かを判定する（Ｓ４８）。パスワードが一致しない場合（Ｓ４８：ＮＯ）、ＣＰＵ１０は、認証エラー応答を送信して（Ｓ４９）、ステップＳ４０に処理を戻す。パスワードが一致する場合（Ｓ４８：ＹＥＳ）、ＣＰＵ１０は、送信を要求された画像データを送信するために、ステップＳ５０に処理を進める。
【００６７】
次に、図８Ｂの処理について説明する。
ＰＣ２のＣＰＵ２０の処理がステップＳ１０６からステップＳ１２１に移った場合、ＣＰＵ２０は、操作されたボタンが原稿印刷に係るボタンで有るか否かを判定する（Ｓ１２１）。原稿印刷に係るボタンではない場合（Ｓ１２１：ＮＯ）、ＣＰＵ２０は、操作されたボタンが、ブラウザの終了ボタンであるか否かを判定し（Ｓ１２２）、終了ボタンである場合（Ｓ１２２：ＹＥＳ）、図８Ｂの処理を終了する。終了ボタンではない場合（Ｓ１２２：ＮＯ）、ＣＰＵ２０は、ボタン操作に係る他の処理を実行して（Ｓ１２３）、ステップＳ１０１に処理を戻す。
ステップＳ１２１で、操作されたボタンが原稿印刷に係るボタンで有る場合（Ｓ１２１：ＹＥＳ）、ＣＰＵ２０は、図９に示すチェックボックスにチェックされた画像データを指定して画像印刷要求をＭＦＰ１に送信する（Ｓ１２４）。
【００６８】
一方、ＭＦＰ１のＣＰＵ１０の処理がステップＳ４４からステップＳ５１に移った場合、ＣＰＵ１０は、リクエストデータに画像印刷要求が含まれるか否かを判定し（Ｓ５１）、含まれない場合（Ｓ５１：ＮＯ）、リクエストデータに係るその他の処理を実行して（Ｓ５２）、ステップＳ４０に処理を戻す。リクエストデータに画像印刷要求が含まれる場合（Ｓ５１：ＹＥＳ）、ＣＰＵ１０は、印刷を要求された画像データについて、第２記憶部１３２に記憶された属性情報にパスワードが有るか否かを判定する（Ｓ５３）。パスワードがない場合（Ｓ５３：ＮＯ）、ＣＰＵ１０は、ＨＴＴＰのレスポンスデータとして、ＯＫ応答をＰＣ２に送信した（Ｓ５８）後、印刷を要求された画像データを第２記憶部１３２から読み出して、画像形成部１７によって受信原稿を印刷し（Ｓ５９）、ステップＳ４０に処理を戻す。
【００６９】
他方、ＰＣ２のＣＰＵ２０は、ＨＴＴＰのレスポンスを受信して（Ｓ１２５）、ＨＴＴＰのレスポンスデータにパスワード要求が含まれるか否かを判定する（Ｓ１２６）。パスワード要求が含まれない場合（Ｓ１２６：ＮＯ）（ここは正常ケースなので、ＭＦＰ１からＯＫ応答を受信した場合）、ＣＰＵ２０は、次のボタン操作を受け付けるために、ステップＳ１０１に処理を戻す。
【００７０】
一方、ＭＦＰ１側のステップＳ５３で、属性情報にパスワードがある場合（Ｓ５３：ＹＥＳ）、ＣＰＵ１０は、ＨＴＴＰのレスポンスデータとして、パスワード要求をＰＣ２に送信する（Ｓ５４）。
【００７１】
他方、ＰＣ２側のステップＳ１２６で、ＨＴＴＰのレスポンスデータにパスワード要求が含まれる場合（Ｓ１２６：ＹＥＳ）、ＣＰＵ２０は、表示部２６１にパスワード入力画面を表示して（Ｓ１２７）パスワードを受け付け（Ｓ１２８）、受け付けたパスワードをＨＴＴＰのリクエストデータとしてＭＦＰ１に送信した（Ｓ１２９）後、ＭＦＰ１からのＯＫ応答を待ち受けるために、ステップＳ１２５に処理を戻す。
【００７２】
一方、ＭＦＰ１のＣＰＵ１０は、ＨＴＴＰのリクエストデータとしてパスワードを受信し（Ｓ５５）、受信したパスワードと、ステップＳ５３で属性情報に有ると判定したパスワードとが一致するか否かを判定する（Ｓ５６）。パスワードが一致しない場合（Ｓ５６：ＮＯ）、ＣＰＵ１０は、認証エラー応答を送信して（Ｓ５７）、ステップＳ４０に処理を戻す。パスワードが一致する場合（Ｓ５６：ＹＥＳ）、ＣＰＵ１０は、印刷を要求された画像データに基づいて受信原稿を印刷するために、ステップＳ５８に処理を進める。
【００７３】
さて、図６Ａに示すステップＳ２７の処理でＢＯＸに記憶した画像データは、ＢＯＸを共有するユーザがＭＦＰ１の操作パネル１４を操作することにより、受信原稿として印刷される。
図１０は、ＢＯＸに記憶された画像データに基づいて受信原稿を印刷するＭＦＰ１のＣＰＵ１０の処理手順を示すフローチャートである。図１０の処理は、ＢＯＸが設定された後に起動され、ＢＯＸに対する操作を受け付けて処理を終える都度、再び起動される。ここでのＢＯＸは、全てＦコード通信のために設定されたものである。また、全てのＢＯＸにパスワードが設定されている場合を例にして説明する。以下では、ＢＯＸに画像データが記憶されていることを、ＢＯＸに受信原稿があるという。
【００７４】
図１０の処理が起動された場合、ＣＰＵ１０は、操作パネル１４の操作部１４２からＢＯＸに対する操作が有ったか否かを判定し（Ｓ６１）、操作が有るまで待機する（Ｓ６１：ＮＯ）、ＢＯＸに対する操作があった場合（Ｓ６１：ＹＥＳ）、ＣＰＵ１０は、印刷を指示する操作であるか否かを判定し（Ｓ６２）、印刷を指示する操作ではない場合（Ｓ６２：ＮＯ）、指示に対応するその他の処理を実行して（Ｓ６３）、図１０の処理を終了する。
【００７５】
ＢＯＸに対する操作が印刷を指示する操作である場合（Ｓ６２：ＹＥＳ）、ＣＰＵ１０は、設定されている何れかのＢＯＸに受信原稿が有るかか否か、即ち画像データが記憶されているか否かを判定し（Ｓ６４）、受信原稿がない場合（Ｓ６４：ＮＯ）、「受信原稿なし」の旨を表示部１４１に表示して（Ｓ６５）、図１０の処理を終了する。
【００７６】
何れかのＢＯＸに受信原稿が有る場合（Ｓ６４：ＹＥＳ）、ＣＰＵ１０は、受信原稿が有るＢＯＸの一覧を表示部１４１に表示して（Ｓ６６）、表示されたＢＯＸの一覧からＢＯＸ番号を指定する操作が有ったか否かを判定し（Ｓ６７）、操作が有るまで待機する（Ｓ６７：ＮＯ）。ＢＯＸ番号を指定する操作が有った場合（Ｓ６７：ＹＥＳ）、ＣＰＵ１０は、パスワード入力画面を表示部１４１に表示して（Ｓ６８）、操作部１４２からパスワードの入力が有ったか否かを判定し（Ｓ６９）、入力があるまで待機する（Ｓ６９：ＮＯ）。
【００７７】
パスワードの入力が有った場合（Ｓ６９：ＹＥＳ）、ＣＰＵ１０は、番号が指定されたＢＯＸに設定されているパスワードと、入力されたパスワードとが一致するか否かを判定し（Ｓ７０）、一致しない場合（Ｓ７０：ＮＯ）、表示部１４１にエラー表示を行って（Ｓ７１）、図１０の処理を終了する。パスワードが一致する場合（Ｓ７０：ＹＥＳ）、ＣＰＵ１０は、指定されたＢＯＸに記憶されている画像データに基づいて受信原稿を印刷した（Ｓ７２）後、そのＢＯＸに記憶されている画像データを削除して（Ｓ７３）、図１０の処理を終了する。
【００７８】
以上のように本実施の形態１によれば、サブアドレスを用いるＦコード通信を行って画像データを受信した場合、受信データに含まれるサブアドレスに対応するユーザ識別情報に、受信した画像データ及び該画像データの属性情報を対応付けて第２記憶部に記憶する。その後、ユーザ識別情報としてのＩＰアドレスが指定されたリスト送信要求をＰＣから受信した場合、指定されているＩＰアドレスに対応付けられた画像データの属性情報を第２記憶部から読み出してリスト情報を生成し、生成したリスト情報を要求元のＰＣに送信する。
これにより、リスト送信要求を送信した送信元のＰＣに対して、該ＰＣのユーザ識別情報に対応付けられた画像データを指定するリスト情報が返信される。このため、ＰＣでは、返信されたリスト情報に基づくリスト表示を行った後に、画像データを指定する操作と、指定された画像データに対する処理操作とを受け付けることができる。
従って、Ｆコードによる親展通信にて受信した画像データの扱いを、該親展通信の宛先に対応付けられた使用者に委ねることが可能となる。
【００７９】
また、受信した画像データをユーザ識別情報に対応付けて第２記憶部に記憶した旨を、受信データに含まれるサブアドレスに対応するユーザ識別情報に含まれるＩＰアドレス又はメールアドレスを用いてＰＣに送信する。
つまり、ＰＣのユーザ識別情報が対応するサブアドレスが受信データに含まれるＦコード通信が行われて、受信された画像データ及び属性情報がＭＦＰに記憶されたことがＰＣに通知される。
従って、ＰＣでは、Ｆコード通信によって画像データが受信及び記憶された旨を、例えばポップアップ等にてユーザに報知することが可能となる。
【００８０】
更にまた、画像データの受信時に、受信した画像データを変換したＰＤＦ形式又はＴＩＦＦ形式の画像データを第２記憶部に記憶する。ＰＣへのリスト情報の送信後に、画像データが指定された画像送信要求を受信した場合、送信元のＰＣに対して、指定された画像データから変換されて第２記憶部に記憶されているＰＤＦ形式又はＴＩＦＦ形式の画像データを送信する。
従って、ＰＣでは、ＭＦＰから受信したリスト情報から指定された画像データについて、例えば、該画像データが表す画像を表示したり、画像データをダウンロードしたりすることが可能となる。
【００８１】
更にまた、ＰＣへのリスト情報の送信後に、画像データが指定された画像印刷要求を受信した場合、指定された画像データに基づいて受信原稿を印刷する。
従って、ユーザは、ＰＣにて画像データが表す画像の内容を確認した後に、印刷が必要な画像をＭＦＰに形成させることが可能となる。
【００８２】
更にまた、Ｆコード通信での受信データにパスワードが含まれる場合、受信データに含まれるパスワードと、受信データに含まれるサブアドレスに対応して記憶されているユーザ識別情報に含まれたるパスワードとを照合して一致したパスワードを、そのＦコード通信にて受信した画像データの属性情報に含めて、受信した画像データと共に第２記憶部に記憶する。
従って、Ｆコード通信の送信元のファクシミリが設定したパスワードを、後の照合に備えて記憶することが可能となる。
【００８３】
更にまた、パスワードの送信要求に対する応答としてＰＣから受信したパスワードと、画像送信要求にて送信を要求されている画像データの属性情報に含まれるパスワードとを照合し、パスワードが一致した場合にのみ、画像送信要求の送信元のＰＣに対して、送信を要求された画像データから変換されて第２記憶部に記憶されているＰＤＦ形式又はＴＩＦＦ形式の画像データを送信する。
従って、Ｆコード通信の送信元のファクシミリが設定したパスワードが通知されたユーザに対してのみ、Ｆコード通信にて受信した画像データから変換された第２の画像データを送信することが可能となる。
【００８４】
更にまた、パスワードの送信要求に対する応答としてＰＣから受信したパスワードと、画像印刷要求にて印刷を要求されている画像データの属性情報に含まれるパスワードとを照合し、パスワードが一致した場合にのみ、印刷を要求されている画像データに基づく画像を形成する。
従って、Ｆコード通信の送信元のファクシミリが設定したパスワードが通知されたユーザからの印刷要求に対してのみ、Ｆコード通信にて受信したＦＡＸ受信原稿を印刷することが可能となる。
【００８５】
尚、本実施の形態１にあっては、ＭＦＰ１がＦＡＸ通信を行って受信した画像データを、ＰＤＦ形式又はＴＩＦＦ形式の画像データに変換して第２の記憶部１３２に記憶したが、他の形式の画像データに変換してもよい。また、第２記憶部１３２には、変換前の画像データを記憶しておき、ＰＣ２に画像データを送信する際に、第２記憶部１３２から読み出した画像データをＰＤＦ形式又はＴＩＦＦ形式の画像データに変換するようにしてもよい。更にまた、ＰＣ２のブラウザを用いた操作により、ＰＣ２に送信する画像データの変換形式（フォーマット）を、ユーザが選択できるようにしてもよい。
【００８６】
（実施の形態２）
実施の形態１が、ＭＦＰ１が受信した画像データを記憶してその旨をＰＣ２に通知する形態であるのに対し、実施の形態２は、ＭＦＰ１が受信した画像データをＰＣ２に転送する形態である。このため、実施の形態２では、Ｆコードに含まれるべきサブアドレスと、ＰＣ２の共有フォルダとを対応付けておく必要がある。共有フォルダを識別する情報は、例えばコンピュータ名及びフォルダ名である。上述した対応付けの実際については、説明を省略する。
【００８７】
ＭＦＰ１がファクシミリ装置４とＦＡＸ通信を行って受信した画像データは、例えばＰＤＦ形式の画像データに変換される。この場合、通信手順における受信データにパスワードが含まれている（又はいない）ときは、パスワード付きの（又はパスワード無しの）ＰＤＦ形式の画像データに変換される。変換されたＰＤＦ形式の画像データは、通信手順における受信データに含まれるサブアドレスに対応するＰＣ２の共有フォルダに転送される。
【００８８】
ＰＤＦファイルがフォルダに転送されたＰＣ２では、例えば、ユーザが共有フォルダ内の画像データを示すアイコンをダブルクリックした場合、該画像データが、パスワード付きのＰＤＦ形式の画像データであるときに、パスワードの入力が要求される。それに応じてユーザがパスワードを入力することにより、表示部２６１に受信原稿が表示される。
【００８９】
以下では、上述したＭＦＰ１の動作を、それを示すフローチャートを用いて説明する。
図１１は、受信した画像データをＰＣ２に転送する実施の形態２に係るＭＦＰ１のＣＰＵ１０の処理手順を示すフローチャートである。図１１に示す処理のうち、ステップＳ１１からＳ２１、及びＳ２５からＳ２８の処理は、図６Ａに示す同符号の処理と処理内容が同一であるため、その説明を省略する。
【００９０】
ステップＳ２１でＦＡＸ受信を行った場合（Ｓ２１）、ＣＰＵ１０は、通信手順における受信データに含まれるパスワードをＲＡＭ１２に記憶済みか否かを判定し（Ｓ８１）、記憶済みの場合（Ｓ８１：ＹＥＳ）、受信した画像データをパスワード付きのＰＤＦ形式の画像データに変換して（Ｓ８２）、後述するステップＳ８４に処理を進める。パスワードをＲＡＭ１２に記憶済みではない場合（Ｓ８１：ＮＯ）、ＣＰＵ１０は、受信した画像データをパスワード無しのＰＤＦ形式の画像データに変換し（Ｓ８３）、変換したＰＤＦ形式の画像データを、ステップＳ１６でＲＡＭ１２に記憶したサブアドレスと対応するＰＣ２の共有フォルダに転送して（Ｓ８４）、図１１の処理を終了する。共有フォルダへの転送は、例えば、ＳＭＢプロトコルによる
【００９１】
その他、実施の形態１に対応する箇所には同様の符号を付して、その詳細な説明を省略する。
【００９２】
以上のように、本実施の形態２によれば、Ｆコードによる親展通信にて受信した画像データの扱いを、該親展通信の宛先に対応付けられた使用者に委ねることが可能となる。
【００９３】
今回開示された実施の形態は、全ての点で例示であって、制限的なものではないと考えられるべきである。本発明の範囲は、上述した意味ではなく、特許請求の範囲によって示され、特許請求の範囲と均等の意味及び範囲内での全ての変更が含まれることが意図される。
【符号の説明】
【００９４】
１  ＭＦＰ（通信装置）
１０  ＣＰＵ
１０１  生成部
１０２  変換部
１０３  第１照合部
１０４  第２照合部
１３１  第１記憶部
１３２  第２記憶部
１７  画像形成部
１８  ＬＡＮ・Ｉ／Ｆ（情報通信部）
１９  ＦＡＸ通信Ｉ／Ｆ（ＦＡＸ通信部）
２  ＰＣ
３  ＬＡＮ
４  ファクシミリ装置
５  ＰＳＴＮ
【図１】
2012156583.tif 000003
【図２】
2012156583.tif 000004
【図３】
2012156583.tif 000005
【図４】
2012156583.tif 000006
【図５】
2012156583.tif 000007
【図６Ａ】
2012156583.tif 000008
【図６Ｂ】
2012156583.tif 000009
【図７】
2012156583.tif 000010
【図８Ａ】
2012156583.tif 000011
【図８Ｂ】
2012156583.tif 000012
【図９】
2012156583.tif 000013
【図１０】
2012156583.tif 000014
【図１１】
2012156583.tif 000015